Podtech/llm-jp-corpus-v4-ja_patent huggingface dataset:
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
光を発生するレーザ光源と、
前記光を生体に照射する光照射手段と、
前記生体に照射された光によって発生した音響波を検出する音響波検出器と、
前記光照射手段から出射する光の光エネルギーを検出する光エネルギー検出手段と、
前記レーザ光源からの出射光量を制御する制御手段と、を備え、
前記制御手段は、前記光エネルギー検出手段により検出された光エネルギーに基づき、前記生体へ照射される光の照射密度が最大許容露光量を超えないように、前記レーザ光源の出射光量を制御することを特徴とする測定装置。
【請求項２】
前記光エネルギー検出手段は、前記光照射手段から出射する光の光エネルギー分布を取得可能に構成されていることを特徴とする請求項１に記載の測定装置。
【請求項３】
前記制御手段は、前記光エネルギー分布により求められる照射密度分布内における最大値が、前記最大許容露光量を超えている場合、前記生体へ照射される光の照射密度が最大許容露光量を超えないよう前記レーザ光源の出射光量を制御することを特徴とする請求項２に記載の測定装置。
【請求項４】
前記光照射手段と前記光エネルギー検出手段とのうち少なくともどちらか一方を２次元に動かすことが可能な第１の移動機構をさらに有することを特徴とする請求項１乃至３のいずれか１項に記載の測定装置。
【請求項５】
前記光エネルギー検出手段は、複数の光エネルギー検出器が２次元に配置された光エネルギー検出器群からなることを特徴とする請求項１乃至３のいずれか１項に記載の測定装置。
【請求項６】
前記光照射手段を動かすことが可能な第２の移動機構を有し、
前記光エネルギー検出手段は前記生体の妨げにならない位置に設置されていることを特徴とする請求項１乃至４のいずれか１項に記載の測定装置。
【請求項７】
前記第２の移動機構が前記第１の移動機構と共通に用いられていることを特徴とする請求項６に記載の測定装置。
【請求項８】
前記光エネルギー検出手段は着脱可能であることを特徴とする請求項１乃至５のいずれか１項に記載の測定装置。
【請求項９】
前記制御手段は、前記光エネルギー検出手段によって検出される光エネルギーおよび照射される光の繰り返し周波数に応じて、前記レーザ光源の出射光量の制御を行うことを特徴とする請求項１乃至８のいずれか１項に記載の測定装置。
【請求項１０】
前記レーザ光源からの出射光の波長を測定する波長測定手段を有し、
前記制御手段は、前記波長測定手段で測定された波長に応じて前記レーザ光源の出射光量の制御を行うことを特徴とする請求項１乃至９のいずれか１項に記載の測定装置。
【請求項１１】
前記波長測定手段は前記レーザ光源の筐体内に設けられていることを特徴とする請求項１０に記載の測定装置。
【請求項１２】
前記光エネルギー検出手段は、レーザ安全基準で定められる大きさの窓を備えた開口を有することを特徴とする請求項１乃至１１のいずれか１項に記載の測定装置。
【請求項１３】
前記生体を保持するための保持板が少なくとも１つ設けられていることを特徴とする請求項１乃至１２のいずれか１項に記載の測定装置。
【請求項１４】
前記保持板を挟んで生体と反対側に前記光照射手段および前記音響波検出器が配置されており、前記光照射手段は、光が前記保持板中を斜めに伝搬して前記音響波検出器の正面を照射する光学系を有しており、前記光エネルギー検出手段は、保持板と光学的に整合した光学部材を有することを特徴とする請求項１３に記載の測定装置。
【請求項１５】
前記光学部材はプリズムであることを特徴とする請求項１４に記載の測定装置。
【請求項１６】
前記光学部材は、前記保持板に相対する面にレーザ安全基準で定められる大きさの開口が設けられていることを特徴とする請求項１４又は１５に記載の測定装置。
【請求項１７】
前記光エネルギー検出手段は、前記光照射手段と前記光エネルギー検出手段との距離が、前記光照射手段と前記生体との距離に相当する位置に配置されることを特徴とする請求項１乃至１６のいずれか１項に記載の測定装置。
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
被検体に光を照射することにより発生する音響波を受信して電気信号に変換する音響波変換部と、
前記電気信号から前記被検体の内部の被検体情報を取得する処理部とを有し、
前記処理部は、前記被検体に照射される前記光の光学パターンに基づいて前記被検体内の光量分布を取得し、
前記被検体内の光量分布と前記電気信号とに基づいて、前記被検体情報を取得することを特徴とする被検体情報取得装置。
【請求項２】
前記処理部は、前記光学パターンから前記被検体の表面における相対光照射密度分布を取得し、
前記相対光照射密度分布に基づいて前記被検体内の光量分布を取得することを特徴とする請求項１に記載の被検体情報取得装置。
【請求項３】
前記光源から発せられる光の一部の光量を測定する光量測定部を更に有し、
前記処理部は、前記相対光照射密度分布と前記光量測定部で測定された光量とに基づいて、前記被検体に照射される光の光照射密度分布を取得し、
前記光照射密度分布に基づいて前記被検体内の光量分布を取得することを特徴とする請求項２に記載の被検体情報取得装置。
【請求項４】
前記光学パターンを撮像する撮像部を更に有し、
前記処理部は、前記撮像部により撮像された前記光学パターンに基づいて、前記被検体内の光量分布を取得することを特徴とする請求項１から３のいずれか１項に記載の被検体情報取得装置。
【請求項５】
光拡散部材を更に有し、
前記撮像部は、前記光が前記光拡散部材に照射されることにより生じた前記光学パターンを撮像することを特徴とする請求項４に記載の被検体情報取得装置。
【請求項６】
前記被検体を保持する保持部を更に有し、
前記光拡散部材は、前記被検体を保持する際に前記保持部と前記被検体とが接する前記保持部の表面のうち前記光が前記被検体に照射される側の表面に配置されることを特徴とする請求項５に記載の被検体情報取得装置。
【請求項７】
前記処理部は、前記光照射密度分布の最大値が生体表面に照射可能な最大許容露光量より大きい場合には、前記光照射密度分布の最大値が前記最大許容露光量以下となるように前記被検体に照射される光の強度を制御することを特徴とする請求項３に記載の被検体情報取得装置。
【請求項８】
被検体に光を照射することにより発生する音響波を受信して電気信号に変換する音響波変換部と、前記電気信号から前記被検体の内部の被検体情報を取得する処理部とを有する被検体情報取得装置の制御方法であって、
前記被検体に照射される前記光の光学パターンに基づいて前記被検体内の光量分布を取得する工程と、
前記被検体内の光量分布と前記電気信号とに基づいて、前記被検体情報を取得する工程とを有することを特徴とする被検体情報取得装置の制御方法。
【請求項９】
前記被検体内の光量分布を取得する工程は、前記光学パターンから前記被検体の表面における相対光照射密度分布を取得する工程と、
前記相対光照射密度分布に基づいて前記被検体内の光量分布を取得する工程とを含むことを特徴とする請求項８に記載の被検体情報取得装置の制御方法。
【請求項１０】
前記光源から発せられる光の一部の光量を測定する工程を更に有し、
前記被検体内の光量分布を取得する工程は、前記相対光照射密度分布と前記光量測定部で測定された光量とに基づいて、前記被検体に照射される光の光照射密度分布を取得する工程と、
前記光照射密度分布に基づいて前記被検体内の光量分布を取得する工程とを含むことを特徴とする請求項９に記載の被検体情報取得装置の制御方法。
【請求項１１】
前記光学パターンを撮像する工程を更に有し、
前記被検体内の光量分布を取得する工程は、前記撮像する工程において撮像された前記光学パターンに基づいて、前記被検体内の光量分布を取得する工程を含むことを特徴とする請求項８から１０のいずれか１項に記載の被検体情報取得装置の制御方法。
【請求項１２】
前記光照射密度分布の最大値が生体表面に照射可能な最大許容露光量以下であるか否かを判定する工程と、
前記最大許容露光量より大きい場合には、前記光照射密度分布の最大値が前記最大許容露光量以下となるように前記被検体に照射される光の強度を制御することを特徴とする請求項１０に記載の被検体情報取得装置の制御方法。
【手続補正２】
【補正対象書類名】明細書
【補正対象項目名】発明の名称
【補正方法】変更
【補正の内容】
【発明の名称】被検体情報取得装置、被検体情報取得装置の制御方法
【手続補正３】
【補正対象書類名】明細書
【補正対象項目名】０００１
【補正方法】変更
【補正の内容】
【０００１】
本発明は、被検体情報取得装置、被検体情報取得装置の制御方法に関するものである。
【手続補正４】
【補正対象書類名】明細書
【補正対象項目名】０００９
【補正方法】変更
【補正の内容】
【０００９】
本発明に係る被検体情報取得装置は、被検体に光を照射することにより発生する音響波を受信して電気信号に変換する音響波変換部と、電気信号から被検体の内部の被検体情報を取得する処理部とを有し、処理部は、被検体に照射される光の光学パターンに基づいて被検体内の光量分布を取得し、被検体内の光量分布と電気信号とに基づいて、被検体情報を取得する。
【手続補正５】
【補正対象書類名】明細書
【補正対象項目名】００１０
【補正方法】変更
【補正の内容】
【００１０】
本発明に係る被検体情報取得装置の制御方法は、被検体に光を照射することにより発生する音響波を受信して電気信号に変換する音響波変換部と、電気信号から被検体の内部の被検体情報を取得する処理部とを有する被検体情報取得装置の制御方法であって、被検体に照射される光の光学パターンに基づいて被検体内の光量分布を取得する工程と、被検体内の光量分布と電気信号とに基づいて、被検体情報を取得する工程とを有する。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
光軸方向に移動可能なフォーカシングレンズを有し被検者眼の眼底を撮影するための撮影光学系が配置された撮影部と、
被検者眼に対して前記撮影部を相対移動させる移動機構部と、
撮像素子を有し、被検者眼の睫を含む前眼部観察像を撮影する前眼部撮像光学系と、
前記撮像素子から出力される撮像信号に基づいて被検者眼に対する前記撮影部のアライメント状態を検出するアライメント検出手段と、
被検眼眼底にフォーカス検出用の光束を投影し、その反射光束を受光して被検眼眼底に対する前記撮影光学系のフォーカス状態を検出するフォーカス検出手段と、
表示手段の主画面に前記前眼部観察像が表示された状態において、前記アライメント検出手段によって検出されるアライメント状態及び前記フォーカス検出手段によって検出されるフォーカス状態が所定の条件を満たしている場合、前記撮像光学系にて眼底撮影を行うためのトリガ信号を出力可能とする撮影制御手段と、
を備えることを特徴とする眼底カメラ。
【請求項２】
請求項１の眼底カメラにおいて、前記前眼部観察像が表示された観察画面に、前記フォーカス検出手段による検出結果を電子的に表示する表示制御手段を備えることを特徴とする眼底カメラ。
【請求項３】
請求項１〜２のいずれかの眼底カメラは、さらに、被検者眼の眼底観察像を撮像する眼底観察光学系を備え、
前記撮影制御手段は、前記フォーカス検出手段の検出結果に基づいて前記フォーカシングレンズを移動させるオートフォーカスを作動させ、前記表示手段の主画面に前記前眼部観察像が表示された状態において、前記トリガ信号を出力可能とし、
オートフォーカスが適正に作動しなかった場合、前記表示手段の主画面に前記眼底観察像が表示された状態において、前記トリガ信号を出力可能とすることを特徴とする眼底カメラ。
【手続補正２】
【補正対象書類名】明細書
【補正対象項目名】０００７
【補正方法】変更
【補正の内容】
【０００７】
（１）  
光軸方向に移動可能なフォーカシングレンズを有し被検者眼の眼底を撮影するための撮影光学系が配置された撮影部と、
被検者眼に対して前記撮影部を相対移動させる移動機構部と、
撮像素子を有し、被検者眼の睫を含む前眼部観察像を撮影する前眼部撮像光学系と、
前記撮像素子から出力される撮像信号に基づいて被検者眼に対する前記撮影部のアライメント状態を検出するアライメント検出手段と、
被検眼眼底にフォーカス検出用の光束を投影し、その反射光束を受光して被検眼眼底に対する前記撮影光学系のフォーカス状態を検出するフォーカス検出手段と、
表示手段の主画面に前記前眼部観察像が表示された状態において、前記アライメント検出手段によって検出されるアライメント状態及び前記フォーカス検出手段によって検出されるフォーカス状態が所定の条件を満たしている場合、前記撮像光学系にて眼底撮影を行うためのトリガ信号を出力可能とする撮影制御手段と、
を備えることを特徴とする。
（２）  （１）の眼底カメラにおいて、前記前眼部観察像が表示された観察画面に、前記フォーカス検出手段による検出結果を電子的に表示する表示制御手段を備えることを特徴とする。
（３）  （１）〜（２）のいずれかの眼底カメラは、さらに、被検者眼の眼底観察像を撮像する眼底観察光学系を備え、
前記撮影制御手段は、
前記フォーカス検出手段の検出結果に基づいて前記フォーカシングレンズを移動させるオートフォーカスを作動させ、前記表示手段の主画面に前記前眼部観察像が表示された状態において、前記トリガ信号を出力可能とし、
オートフォーカスが適正に作動しなかった場合、前記表示手段の主画面に前記眼底観察像が表示された状態において、前記トリガ信号を出力可能とすることを特徴とする。
【手続補正書】
【提出日】平成25年3月28日(2013.3.28)
【手続補正１】
【補正対象書類名】明細書
【補正対象項目名】００３３
【補正方法】変更
【補正の内容】
【００３３】
霧化部Ｍは、圧縮空気導入管１１４の上部先端部１１４ａとバッフル１２２の突起１２５との間に形成される。この霧化部Ｍにおいては、ネブライザ１の本体１０によって圧縮空気導入管１１４に導入された圧縮空気が、圧縮空気導入管１１４の上部先端部１１４ａからバッフル１２２の突起１２５に向けて噴き付けられる。その際、霧化部Ｍにて生じる負圧の作用によって霧化部Ｍの近傍にまで吸い上げられた液体Ｗが、上述の負圧の作用によって霧化部Ｍへと噴き上げられ、圧縮空気とともにバッフル１２２の突起１２５に向けて噴き付けられる。
【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
端末装置と無線通信を行う基地局であって、
前記端末装置から前記基地局に対して無線リソースの割り当てを要求する帯域割当要求がなされ、
前記基地局は、
前記帯域割当要求を受け付ける帯域割当要求受付け部と、
前記帯域割当要求に基づいて無線リソースの割り当てを実行する帯域割当制御部とを備え、
前記帯域割当制御部は、
前記帯域割当要求に使用されるチャネルを利用して前記端末装置から送られる送信余力および、無線リソースの個数を周波数方向に増加させることが可能か否かの情報を受け、無線リソースの個数を周波数方向に増加させることが可能と判断した場合には、既に割り当てた無線リソースの割り当てを周波数方向に増やし、時間方向に減らすように変更するか、あるいは、これから割り当てる無線リソースの割り当てを周波数方向の個数を多くし、時間方向の個数を少なくするように設定する基地局。
【請求項２】
基地局と無線通信を行う端末装置であって、
前記端末装置は、
前記基地局に対して無線リソースの割り当てを要求する帯域割当要求を作成する、帯域割当要求作成部を備え、
前記帯域割当要求作成部は、
送信余力および、無線リソースの個数を周波数方向に増加させることが可能か否かの情報を作成し、前記帯域割当要求に使用されるチャネルを利用して前記基地局に送信する、端末装置。
【請求項３】
端末装置と、基地局とを備え、
前記端末装置から前記基地局に対して無線リソースの割り当てを要求する帯域割当要求がなされ、
前記基地局は、
前記帯域割当要求を受け付ける帯域割当要求受付け部と、
前記帯域割当要求に基づいて無線リソースの割り当てを実行する帯域割当制御部とを備え、
前記帯域割当制御部は、
前記帯域割当要求に使用されるチャネルを利用して前記端末装置から送られる送信余力および、無線リソースの個数を周波数方向に増加させることが可能か否かの情報を参照し、
前記情報から、無線リソースの個数を周波数方向に増加させることが可能と判断される場合には、既に割り当てた無線リソースの割り当てを周波数方向に増やし、時間方向に減らすように変更するか、あるいは、これから割り当てる無線リソースの割り当てを周波数方向の個数を多くし、時間方向の個数を少なくするように設定し、
前記端末装置は、
前記基地局に対して無線リソースの割り当てを要求する帯域割当要求を作成する、帯域割当要求作成部を備え、
前記帯域割当要求作成部は、
送信余力および、無線リソースの個数を周波数方向に増加させることが可能か否かの情報を作成し、前記帯域割当要求に使用されるチャネルを利用して前記基地局に送信する、無線通信システム。
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球が入球可能な始動入賞口と、
前記遊技領域の所定位置に設けられ、遊技球が入球可能な状態に開放可能な大入賞口と、
前記始動入賞口へ遊技球が入球したことを契機として、当否抽選を実行する当否抽選手段と、
前記当否抽選の結果を示す特別図柄が変動表示される特別図柄表示装置と、
前記特別図柄を前記特別図柄表示装置にて変動表示させる特図制御手段と、
前記当否抽選の結果が当たりであったときに、複数の単位遊技を含む遊技であって、各単位遊技において前記大入賞口を開放させる遊技者に有利な特別遊技を特別図柄の停止表示後に実行する特別遊技制御手段と、
前記当否抽選の結果を演出的に示す複数の図柄の組合せである演出図柄が変動表示される演出画像表示装置と、
前記演出画像表示装置にて、前記特別図柄の変動表示と時間的に並行して前記演出図柄を変動表示させる演出表示手段と、
所定の遊技条件の成否を判定し、前記所定の遊技条件が成立したとき、通常の遊技状態よりも特別遊技へ移行しやすい遊技状態である特定遊技を実行する特定遊技制御手段と、を備え、
前記特定遊技制御手段は、前記特図制御手段と前記演出表示手段のうち前記特図制御手段にのみ前記所定の遊技条件の成否を通知し、
前記特図制御手段は、前記特定遊技中における特別図柄の変動を、前記通常の遊技状態における特別図柄の変動態様とは異なる所定態様にて表示させることにより、前記特定遊技中であるか否かを示唆することを特徴とする弾球遊技機。
【請求項２】
遊技領域が形成された遊技盤と、
前記遊技領域の所定位置に設けられ、遊技球が入球可能な始動入賞口と、
前記遊技領域の所定位置に設けられ、遊技球が入球可能な状態に開放可能な大入賞口と、
前記始動入賞口へ遊技球が入球したことを契機として、当否抽選を実行する当否抽選手段と、
前記当否抽選の結果を示す特別図柄が変動表示される特別図柄表示装置と、
前記特別図柄の変動態様として、通常の変動態様である通常態様、および、前記通常態様とは異なる態様によって所定の遊技状態であることを示唆する態様である示唆態様のうちいずれかの変動態様を選択する図柄決定手段と、
前記特別図柄を前記特別図柄表示装置にて前記選択された変動態様にしたがって変動表示させる特図制御手段と、
前記当否抽選の結果が当たりであったときに、複数の単位遊技を含む遊技であって、各単位遊技において前記大入賞口を開放させる遊技者に有利な特別遊技を特別図柄の停止表示後に実行する特別遊技制御手段と、
前記当否抽選の結果を演出的に示す複数の図柄の組合せである演出図柄が変動表示される演出画像表示装置と、
前記演出画像表示装置にて、前記特別図柄の変動表示と時間的に並行して前記演出図柄を変動表示させる演出表示手段と、
所定の遊技条件の成否を判定し、前記所定の遊技条件が成立したとき、通常の遊技状態よりも特別遊技へ移行しやすい遊技状態である特定遊技を実行する特定遊技制御手段と、を備え、
前記特定遊技制御手段は、前記特図制御手段と前記演出表示手段のうち前記特図制御手段にのみ前記所定の遊技条件の成否を通知し、
前記図柄決定手段は、前記通常の遊技状態および前記特定遊技中のいずれの状態であるかによって前記通常態様および前記示唆態様の選択比率を異ならせることにより、前記特定遊技中の場合には前記通常の遊技状態の場合に比べて高い確率にて前記示唆態様を選択し、
前記特図制御手段は、前記通常態様および前記示唆態様のいずれの変動態様にしたがって特別図柄を変動表示させるかによって前記特定遊技中であるか否かを示唆することを特徴とする弾球遊技機。
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球が入球可能であって、遊技球の受け入れ状態が遊技者に有利な状態に拡開可能な始動入賞口と、
前記遊技領域の所定位置に設けられ、遊技球が入球可能な状態に開放可能な大入賞口と、
前記始動入賞口へ遊技球が入球したことを契機として、当否抽選を実行する当否抽選手段と、
前記当否抽選の結果が当たりであったときに前記大入賞口を開放させることにより遊技者に有利な特別遊技を実行する特別遊技制御手段と、
前記当否抽選の結果を演出的に示す複数の図柄が変動表示される演出画像表示装置と、
前記演出画像表示装置にて前記複数の図柄を変動表示させる演出表示手段と、
前記遊技領域の所定位置に設けられ、遊技球が入球可能な作動口と、
前記作動口へ遊技球が入球したことを契機として、普図抽選を実行する普図抽選手段と、
前記普図抽選の結果を示す普通図柄が変動表示される普通図柄表示装置と、
前記普通図柄を前記普通図柄表示装置にて変動表示させる普図制御手段と、
前記普図抽選の結果が当たりであったときに、普通図柄の停止表示後に前記始動入賞口を拡開させる拡開制御手段と、
所定の遊技条件の成否を判定し、前記所定の遊技条件が成立したとき、通常の遊技状態よりも特別遊技へ移行しやすい遊技状態である特定遊技を実行する特定遊技制御手段と、を備え、
前記特定遊技制御手段は、前記普図制御手段と前記演出表示手段のうち前記普図制御手段にのみ前記所定の遊技条件の成否を通知し、
前記普図制御手段は、前記特定遊技中における普通図柄の変動を、前記通常の遊技状態における普図抽選の変動態様とは異なる所定態様にて表示させることにより、前記特定遊技中であるか否かを示唆することを特徴とする弾球遊技機。
【請求項２】
遊技領域が形成された遊技盤と、
前記遊技領域の所定位置に設けられ、遊技球が入球可能であって、遊技球の受け入れ状態が遊技者に有利な状態に拡開可能な始動入賞口と、
前記遊技領域の所定位置に設けられ、遊技球が入球可能な状態に開放可能な大入賞口と、
前記始動入賞口へ遊技球が入球したことを契機として、当否抽選を実行する当否抽選手段と、
前記当否抽選の結果が当たりであったときに前記大入賞口を開放させることにより遊技者に有利な特別遊技を実行する特別遊技制御手段と、
前記当否抽選の結果を演出的に示す複数の図柄が変動表示される演出画像表示装置と、
前記演出画像表示装置にて前記複数の図柄を変動表示させる演出表示手段と、
前記遊技領域の所定位置に設けられ、遊技球が入球可能な作動口と、
前記作動口へ遊技球が入球したことを契機として、普図抽選を実行する普図抽選手段と、
前記普図抽選の結果を示す普通図柄が変動表示される普通図柄表示装置と、
前記普通図柄の変動態様として、通常の変動態様である通常態様、および、前記通常態様とは異なる態様によって所定の遊技状態であることを示唆する態様である示唆態様のうちいずれかの変動態様を選択する図柄決定手段と、
前記普通図柄を前記普通図柄表示装置にて前記選択された変動態様にしたがって変動表示させる普図制御手段と、
前記普図抽選の結果が当たりであったときに、普通図柄の停止表示後に前記始動入賞口を拡開させる拡開制御手段と、
所定の遊技条件の成否を判定し、前記所定の遊技条件が成立したとき、通常の遊技状態よりも特別遊技へ移行しやすい遊技状態である特定遊技を実行する特定遊技制御手段と、を備え、
前記特定遊技制御手段は、前記普図制御手段と前記演出表示手段のうち前記普図制御手段にのみ前記所定の遊技条件の成否を通知し、
前記図柄決定手段は、前記通常の遊技状態および前記特定遊技中のいずれの状態であるかによって前記通常態様および前記示唆態様の選択比率を異ならせることにより、前記特定遊技中の場合には前記通常の遊技状態の場合に比べて高い確率にて前記示唆態様を選択し、
前記普図制御手段は、前記通常態様および前記示唆態様のいずれの変動態様にしたがって普通図柄を変動表示させるかによって前記特定遊技中であるか否かを示唆することを特徴とする弾球遊技機。
【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
防護ネットと取付用部材とを備え、防護ネットは破損したガラス板の破片を受止める強靱なネット材から構成され、取付用部材は防護ネットの縁辺を支持する支持部と温室の骨材のフランジに係合される取付部とが形成されている温室用ガラス板落下防止具。
【請求項２】
取付用部材は取付部が骨材のフランジの外側面、端面及び内側面に当接される係合構造からなることを特徴とする請求項１に記載の温室用ガラス板落下防止具。
【請求項３】
取付用部材は取付部が支持部に掛かる防護ネットの引張力で骨材のフランジに押圧されるものであることを特徴とする請求項２に記載の温室用ガラス板落下防止具。
【請求項４】
取付用部材は取付部が骨材のフランジの外側面に接着されるものであることを特徴とする請求項１から３のいずれか１項に記載の温室用ガラス板落下防止具。
【請求項５】
取付用部材は支持部が弾性により防護ネットの縁辺の離脱を阻止するロック構造が設けられていることを特徴とする請求項１から４のいずれか１項に記載の温室用ガラス板落下防止具。
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
少なくとも１の非天然アルキニルアミノ酸を含む抗体又は抗体断片を含む組成物であって、前記非天然アルキニルアミノ酸が前記抗体又は抗体断片の特定の位置に真正細菌細胞内でインビボで組み込まれてなる組成物。
【請求項２】
前記抗体又は抗体断片が更に少なくとも１つの翻訳後修飾を含み、前記翻訳後修飾がアジド基を含む分子をシクロ付加反応により非天然アルキニルアミノ酸に付加することを含む、請求項１に記載の組成物。
【請求項３】
前記シクロ付加反応が［３＋２］シクロ付加反応である、請求項２に記載の組成物。
【請求項４】
前記アジド基を含む分子が、小分子、細胞傷害性化合物、及び、第２のタンパク質又はポリペプチドからなる群より選択される、請求項２又は３に記載の組成物。
【請求項５】
非天然アルキニルアミノ酸を特定の位置に含む抗体又は抗体断片を真正細菌細胞内で作製する方法であって、
（ａ）真正細菌細胞を提供し、前記真正細菌細胞は、
（ｉ）配列番号４、６、８、１０、１２、１４、１６及び１８に記載のアミノ酸配列、並びにそれらの保存変異体から選択されるアミノ酸配列を含む直交アミノアシルｔＲＮＡシンテターゼ（Ｏ−ＲＳ）と、
（ii）前記Ｏ−ＲＳにより前記非天然アルキニルアミノ酸で優先的にアミノアシル化される直交ｔＲＮＡ（Ｏ−ｔＲＮＡ）と、
（iii）前記抗体又は抗体断片をコードする核酸であって、前記Ｏ−ｔＲＮＡにより認識される少なくとも１個のセレクターコドンを含む核酸と、
（iv）パラ置換チロシン又はパラ置換フェニルアラニンから選択される前記非天然アルキニルアミノ酸とを含み、
（ｂ）前記細胞を増殖させ、
（ｃ）前記核酸によりコードされる前記抗体又は抗体断片の翻訳中に、前記核酸における前記セレクターコドンの位置に対応する特定の位置に前記非天然アルキニルアミノ酸を組込むことにより、前記非天然アルキニルアミノ酸を前記特定の位置に含む前記抗体又は抗体断片を生産することを含む、方法。
【請求項６】
前記真正細菌細胞が大腸菌細胞である、請求項５に記載の方法。
【請求項７】
請求項５又は６に記載の方法で得られる抗体又は抗体断片。
【請求項８】
医薬的に許容可能なキャリヤーと結合している、請求項７に記載の抗体又は抗体断片。
【請求項９】
前記特定の位置が修飾されてなる、請求項７又は８に記載の抗体又は抗体断片。
【請求項１０】
前記特定の位置にトリアゾール結合を有する、請求項９に記載の抗体又は抗体断片。
【請求項１１】
非天然アルキニルアミノ酸を特定の位置に含む抗体又は抗体断片のコンジュゲートを真正細菌細胞内で作製する方法であって、
（ａ）真正細菌細胞を提供し、前記真正細菌細胞は、
（ｉ）配列番号４、６、８、１０、１２、１４、１６及び１８に記載のアミノ酸配列、並びにそれらの保存変異体から選択されるアミノ酸配列を含む直交アミノアシルｔＲＮＡシンテターゼ（Ｏ−ＲＳ）と、
（ii）前記Ｏ−ＲＳにより前記非天然アルキニルアミノ酸で優先的にアミノアシル化される直交ｔＲＮＡ（Ｏ−ｔＲＮＡ）と、
（iii）前記抗体又は抗体断片をコードする核酸であって、前記Ｏ−ｔＲＮＡにより認識される少なくとも１個のセレクターコドンを含む核酸と、
（iv）パラ置換チロシン又はパラ置換フェニルアラニンから選択される前記非天然アルキニルアミノ酸とを含み、
（ｂ）前記細胞を増殖させ、
（ｃ）前記核酸によりコードされる前記抗体又は抗体断片の翻訳中に、前記核酸における前記セレクターコドンの位置に対応する特定の位置に前記非天然アルキニルアミノ酸を組込むことにより、前記非天然アルキニルアミノ酸を前記特定の位置に含む前記抗体又は抗体断片を生産し、
（ｄ）前記抗体又は抗体断片にアジド基を含む分子を接触させ、これにより前記非天然アルキニルアミノ酸をアジド基と反応させ、前記分子をシクロ付加反応により前記非天然アルキニルアミノ酸に付加することを含む、方法。
【請求項１２】
前記シクロ付加反応が［３＋２］シクロ付加反応である、請求項１１に記載の方法。
【請求項１３】
前記アジド基を含む分子が、小分子、細胞傷害性化合物、第２のタンパク質又はポリペプチド、色素、フルオロフォア、架橋剤、糖誘導体、ポリマー、ポリエチレングリコール誘導体、光架橋剤、細胞傷害性化合物、アフィニティーラベル、ビオチン誘導体、樹脂、ビーズ、ポリヌクレオチド、金属キレート剤、補因子、脂肪酸、及び、炭水化物からなる群より選択される、請求項１１又は１２に記載の方法。
【請求項１４】
前記アジド基を含む分子が、小分子、細胞傷害性化合物、及び、第２のタンパク質又はポリペプチドからなる群より選択される、請求項１３に記載の方法。
【請求項１５】
前記非天然アルキニルアミノ酸が以下の式
【化１】
2013009682.tif 000001
（式中、Ｒ１は２０種の天然アミノ酸の何れか１種に対応する置換基を表し、Ｒ２はアルキニル置換基を表す。）を有する、請求項１１〜１４の何れか一項に記載の方法。
【請求項１６】
前記非天然アルキニルアミノ酸がパラ置換チロシン又はパラ置換フェニルアラニンである、請求項１１〜１５の何れか一項に記載の方法。
【請求項１７】
前記非天然アルキニルアミノ酸が、ｐ−プロパルギルオキシフェニルアラニン、２−アミノ−４−ペンチン酸、２−アミノ−３−（４−エチニルフェニル）プロパン酸、２−アミノ−３−（プロプ−２−イニルオキシ）プロパン酸、２−アミノ−３−（プロプ−２−イニルチオ）プロパン酸、３−［（プロプ−２−イニルオキシ）カルボニル］−２−アミノプロパン酸、及び４−［（プロプ−２−イニルオキシ）カルボニル］−２−アミノブタン酸から選択される、請求項１１〜１６の何れか一項に記載の方法。
【請求項１８】
前記非天然アルキニルアミノ酸が、ｐ−プロパルギルオキシフェニルアラニンを含む、請求項１７に記載の方法。
【請求項１９】
前記非天然アルキニルアミノ酸が、光反応性非天然アミノ酸である、請求項１１〜１８の何れか一項に記載の方法。
【請求項２０】
前記非天然アルキニルアミノ酸が、環状非天然アミノ酸である、請求項１１〜１９の何れか一項に記載の方法。
【請求項２１】
前記アジド基を含む分子が、アジド非天然アミノ酸である、請求項１１〜２０の何れか一項に記載の方法。
【請求項２２】
前記アジド基を含む分子が、ｐ−アジド−Ｌ−フェニルアラニンである、請求項２１に記載の方法。
【請求項２３】
前記抗体又は抗体断片を前記特定の位置で修飾することを更に含む、請求項１１〜２２の何れか一項に記載の方法。
【請求項２４】
前記抗体又は抗体断片が前記特定の位置にトリアゾール結合を有する、請求項１１〜２３の何れか一項に記載の方法。
【請求項２５】
請求項１１〜２４の何れか一項に記載の方法により製造されるコンジュゲート。
【請求項２６】
前記抗体又は抗体断片が、モノクローナル抗体、キメラ抗体、ヒト化抗体、Ｆａｂフラグメント、Ｆａｂ発現ライブラリから得られる抗体断片、及び、一本鎖抗体断片からなる群より選択される、請求項２５に記載のコンジュゲート。
【手続補正書】
【提出日】平成25年8月29日(2013.8.29)
【手続補正１】
【補正対象書類名】特許請求の範囲
【補正対象項目名】請求項１
【補正方法】変更
【補正の内容】
【請求項１】
図柄の変動開始から図柄の確定停止表示までを１回として行う図柄変動ゲームを行う表示手段と、前記図柄変動ゲームが大当りとなるか否かを判定する大当り判定手段と、を備え、前記大当り判定手段の判定結果が肯定の場合には大当り遊技が行われる遊技機において、
前記大当り判定手段の判定結果に基づいて、１回の図柄変動ゲームにおいて図柄の変動開始を１回とする変動サイクルを１回又は複数回実行するとともに、１回の図柄変動ゲーム中に実行される変動サイクルの回数によって図柄変動ゲームが大当りとなる大当り期待度を示唆する変動内容を決定する変動内容決定手段と、
演出を実行する演出実行手段と、
前記変動内容決定手段によって１回の図柄変動ゲーム中に複数回の変動サイクルが実行される特殊変動内容が決定された場合において、少なくとも該図柄変動ゲームの開始から終了までの期間に遊技球が入球可能な入球手段への遊技球の入球に応じて、該図柄変動ゲームにおける大当り期待度を示す予告演出を前記演出実行手段に実行させる制御を行う演出制御手段と、を備え、
前記特殊変動内容では、１回の図柄変動ゲーム中における変動サイクルの回数が多くなるほど前記大当り期待度が高くなり、
前記予告演出は、前記大当り期待度を示唆することに加えて、前記変動サイクルの回数及び次の変動サイクルが継続されるかを示唆する遊技機。
【手続補正２】
【補正対象書類名】明細書
【補正対象項目名】０００７
【補正方法】変更
【補正の内容】
【０００７】
上記問題点を解決するために、請求項１に記載の発明は、図柄の変動開始から図柄の確定停止表示までを１回として行う図柄変動ゲームを行う表示手段と、前記図柄変動ゲームが大当りとなるか否かを判定する大当り判定手段と、を備え、前記大当り判定手段の判定結果が肯定の場合には大当り遊技が行われる遊技機において、前記大当り判定手段の判定結果に基づいて、１回の図柄変動ゲームにおいて図柄の変動開始を１回とする変動サイクルを１回又は複数回実行するとともに、１回の図柄変動ゲーム中に実行される変動サイクルの回数によって図柄変動ゲームが大当りとなる大当り期待度を示唆する変動内容を決定する変動内容決定手段と、演出を実行する演出実行手段と、前記変動内容決定手段によって１回の図柄変動ゲーム中に複数回の変動サイクルが実行される特殊変動内容が決定された場合において、少なくとも該図柄変動ゲームの開始から終了までの期間に遊技球が入球可能な入球手段への遊技球の入球に応じて、該図柄変動ゲームにおける大当り期待度を示す予告演出を前記演出実行手段に実行させる制御を行う演出制御手段と、を備え、前記特殊変動内容では、１回の図柄変動ゲーム中における変動サイクルの回数が多くなるほど前記大当り期待度が高くなり、前記予告演出は、前記大当り期待度を示唆することに加えて、前記変動サイクルの回数及び次の変動サイクルが継続されるかを示唆することを要旨とする。
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
遊技者側から遊技媒体を任意に出入可能とされると共に、複数の遊技媒体を貯留可能とされた貯留部と、
該貯留部内の遊技媒体を遊技者の操作によって一つずつ発射する発射装置と、
前記貯留部内の遊技媒体を前記発射装置に供給する球送り部材と、
該発射装置によって発射された遊技媒体が進入可能とされた遊技領域と、
前記球送り部材に設けられ、遊技媒体に付着した線材を切断可能とされる切断部材と
を具備することを特徴とする遊技機。
【手続補正書】
【提出日】平成25年8月30日(2013.8.30)
【手続補正１】
【補正対象書類名】特許請求の範囲
【補正対象項目名】請求項１
【補正方法】変更
【補正の内容】
【請求項１】
大当りか否かの大当り判定の判定結果に基づき図柄を変動させて行う図柄変動ゲームを表示手段に表示し、この図柄変動ゲームにおいて大当り表示結果が導出されたのちに大当り遊技が付与される遊技機において、
前記大当り判定の判定結果に基づき前記表示手段を制御し、１回の図柄変動ゲームの表示中に前記図柄の変動表示を伴う変動サイクルを複数回にわたって表示させ、前記１回の図柄変動ゲームにおける変動サイクルの回数が多いほど大当り期待度が高くなる特殊変動演出を表示させる特殊変動演出制御手段と、
前記大当り判定の判定結果に基づき前記表示手段を制御し、前記図柄変動ゲームにおいてはずれ表示結果を導出させるとともに、その導出させたはずれ表示結果を構成する図柄を再変動させて最終的に大当り表示結果を導出させる特別演出を表示させる特別演出制御手段と、を備え、
前記特殊変動演出では、前記特殊変動演出を構成する変動サイクルのうち最終回となる変動サイクルの回数毎に、前記最終回の変動サイクルで最も表示させ易い特定リーチ演出が設定されており、
前記特殊変動演出制御手段は、１回の図柄変動ゲームで複数回の変動サイクルを表示させる場合、特定回数目の変動サイクルにおいて当該変動サイクルを最終回の変動サイクルとして仮定したときに表示され易い前記特定リーチ演出を実行させ、その特定リーチ演出の表示を経てはずれ表示結果を導出させた後、その導出させたはずれ表示結果を構成する図柄を再変動させて次回の変動サイクルを開始させるパターンにより前記特殊変動演出を表示させる制御を可能に構成されており、
前記特定回数目の変動サイクルにおいて、前記はずれ表示結果を導出させたのちに、その導出させたはずれ表示結果を構成する図柄を再変動させる第１契機は、前記特別演出において、前記はずれ表示結果を導出させたのちに、その導出させたはずれ表示結果を構成する図柄を再変動させる第２契機とは異なる契機に設定されていることを特徴とする遊技機。
【手続補正２】
【補正対象書類名】明細書
【補正対象項目名】０００７
【補正方法】変更
【補正の内容】
【０００７】
上記課題を解決するために、請求項１に記載の発明は、大当りか否かの大当り判定の判定結果に基づき図柄を変動させて行う図柄変動ゲームを表示手段に表示し、この図柄変動ゲームにおいて大当り表示結果が導出されたのちに大当り遊技が付与される遊技機において、前記大当り判定の判定結果に基づき前記表示手段を制御し、１回の図柄変動ゲームの表示中に前記図柄の変動表示を伴う変動サイクルを複数回にわたって表示させ、前記１回の図柄変動ゲームにおける変動サイクルの回数が多いほど大当り期待度が高くなる特殊変動演出を表示させる特殊変動演出制御手段と、前記大当り判定の判定結果に基づき前記表示手段を制御し、前記図柄変動ゲームにおいてはずれ表示結果を導出させるとともに、その導出させたはずれ表示結果を構成する図柄を再変動させて最終的に大当り表示結果を導出させる特別演出を表示させる特別演出制御手段と、を備え、前記特殊変動演出では、前記特殊変動演出を構成する変動サイクルのうち最終回となる変動サイクルの回数毎に、前記最終回の変動サイクルで最も表示させ易い特定リーチ演出が設定されており、前記特殊変動演出制御手段は、１回の図柄変動ゲームで複数回の変動サイクルを表示させる場合、特定回数目の変動サイクルにおいて当該変動サイクルを最終回の変動サイクルとして仮定したときに表示され易い前記特定リーチ演出を実行させ、その特定リーチ演出の表示を経てはずれ表示結果を導出させた後、その導出させたはずれ表示結果を構成する図柄を再変動させて次回の変動サイクルを開始させるパターンにより前記特殊変動演出を表示させる制御を可能に構成されており、前記特定回数目の変動サイクルにおいて、前記はずれ表示結果を導出させたのちに、その導出させたはずれ表示結果を構成する図柄を再変動させる第１契機は、前記特別演出において、前記はずれ表示結果を導出させたのちに、その導出させたはずれ表示結果を構成する図柄を再変動させる第２契機とは異なる契機に設定されていることを要旨とする。
【手続補正書】
【提出日】平成25年8月30日(2013.8.30)
【手続補正１】
【補正対象書類名】特許請求の範囲
【補正対象項目名】請求項１
【補正方法】変更
【補正の内容】
【請求項１】
大当りか否かの大当り判定を行う大当り判定手段の判定結果に基づき表示手段を制御し、図柄を変動させて行う図柄変動ゲームを表示させるとともに、１回の図柄変動ゲームの表示中に前記図柄の変動表示を伴う変動サイクルを複数回にわたって表示させ、前記１回の図柄変動ゲームにおける変動サイクルの回数が多いほど大当り期待度が高くなる特殊変動演出を表示させる表示制御手段と、備え、
前記特殊変動演出では、前記変動サイクルの回数毎に、その回数の変動サイクルが最終回の変動サイクルとなる場合に最も表示させ易い特定リーチ演出が設定されており、
前記表示制御手段は、１回の図柄変動ゲームで複数回の変動サイクルを表示させる場合、特定回数目の変動サイクルにおいて当該変動サイクルを最終回の変動サイクルとして仮定したときに表示され易い前記特定リーチ演出を実行させ、その特定リーチ演出を経てはずれ表示結果を導出させ、その後に次回の変動サイクルを開始させるパターンにより前記特殊変動演出を表示させる制御を可能に構成されたことを特徴とする遊技機。
【手続補正２】
【補正対象書類名】明細書
【補正対象項目名】０００７
【補正方法】変更
【補正の内容】
【０００７】
上記課題を解決するために、請求項１に記載の発明は、大当りか否かの大当り判定を行う大当り判定手段の判定結果に基づき表示手段を制御し、図柄を変動させて行う図柄変動ゲームを表示させるとともに、１回の図柄変動ゲームの表示中に前記図柄の変動表示を伴う変動サイクルを複数回にわたって表示させ、前記１回の図柄変動ゲームにおける変動サイクルの回数が多いほど大当り期待度が高くなる特殊変動演出を表示させる表示制御手段と、備え、前記特殊変動演出では、前記変動サイクルの回数毎に、その回数の変動サイクルが最終回の変動サイクルとなる場合に最も表示させ易い特定リーチ演出が設定されており、前記表示制御手段は、１回の図柄変動ゲームで複数回の変動サイクルを表示させる場合、特定回数目の変動サイクルにおいて当該変動サイクルを最終回の変動サイクルとして仮定したときに表示され易い前記特定リーチ演出を実行させ、その特定リーチ演出を経てはずれ表示結果を導出させ、その後に次回の変動サイクルを開始させるパターンにより前記特殊変動演出を表示させる制御を可能に構成されたことを要旨とする。
【手続補正書】
【提出日】平成25年7月30日(2013.7.30)
【手続補正１】
【補正対象書類名】特許請求の範囲
【補正対象項目名】請求項２
【補正方法】変更
【補正の内容】
【請求項２】
前記演出制御手段は、
途中の変動サイクル及び最終回の変動サイクルにおいては、第１図柄〜第９図柄の変動表示と停止表示を行わせ、
途中の変動サイクル及び最終回の変動サイクルを除く変動サイクルにおいては、第１図柄〜第８図柄の変動表示と停止表示を行う一方で、第９図柄を前記変動サイクル中に表示させず、
途中の変動サイクルにおいてはずれリーチ演出を実行させる際、当該途中の変動サイクルよりも１回前に実行された変動サイクル終了時に表示されたリーチライン数のリーチの図柄組み合わせを表示させて、当該途中の変動サイクルにおいてはずれリーチ演出の実行を開始し、
途中の変動サイクルのいずれかのタイミングで、実行中の変動サイクル数に応じたリーチライン数を表示させるとともに、途中の変動サイクルの次の変動サイクルにおいて途中の変動サイクルで表示させたリーチラインと同じリーチラインには同じリーチの図柄組み合わせを表示させることを特徴とする請求項１に記載の遊技機。
【手続補正２】
【補正対象書類名】明細書
【補正対象項目名】０００９
【補正方法】変更
【補正の内容】
【０００９】
請求項２に記載の発明は、請求項１に記載の発明において、前記演出制御手段は、途中の変動サイクル及び最終回の変動サイクルにおいては、第１図柄〜第９図柄の変動表示と停止表示を行わせ、途中の変動サイクル及び最終回の変動サイクルを除く変動サイクルにおいては、第１図柄〜第８図柄の変動表示と停止表示を行う一方で、第９図柄を前記変動サイクル中に表示させず、途中の変動サイクルにおいてはずれリーチ演出を実行させる際、当該途中の変動サイクルよりも１回前に実行された変動サイクル終了時に表示されたリーチライン数のリーチの図柄組み合わせを表示させて、当該途中の変動サイクルにおいてはずれリーチ演出の実行を開始し、途中の変動サイクルのいずれかのタイミングで、実行中の変動サイクル数に応じたリーチライン数を表示させるとともに、途中の変動サイクルの次の変動サイクルにおいて途中の変動サイクルで表示させたリーチラインと同じリーチラインには同じリーチの図柄組み合わせを表示させることを要旨とする。
【手続補正書】
【提出日】平成25年7月18日(2013.7.18)
【手続補正１】
【補正対象書類名】特許請求の範囲
【補正対象項目名】請求項３
【補正方法】変更
【補正の内容】
【請求項３】
前記演出制御手段は、前記図柄決定手段が、特別な大当りの図柄組み合わせを表示させることを決定した場合、第１図柄〜第９図柄を表示する際、第１図柄から予め決められた順番に従って１つずつ図柄を停止表示させることを特徴とする請求項１又は請求項２に記載の遊技機。
【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
初期段階、最終段階、及び初期段階と最終段階の間である中間段階を含む複数の段階区分と、少なくとも１個以上の段階区分を対応付けて構成される指標領域と、を設定し、遊技者が操作可能な操作手段が操作されたことを契機として前記段階区分を変化させた際に、前記指標領域を構成する上限の段階区分から次の段階区分に変化することで前記段階区分が対応付けられている指標領域も変化し得るようになっており、変化後の段階区分が対応付けられている指標領域に定められた内容によって実行中の図柄変動ゲームの演出内容が示される遊技機において、
大当りか否かの大当り抽選の抽選結果に従って、図柄変動ゲームの演出内容を定めた演出パターンを選択する演出パターン選択手段と、
選択された演出パターンに定められた演出内容に従って最終的に到達させる指標領域を決定する到達領域決定手段と、
前記操作手段が操作される度に、前記到達領域決定手段が決定した指標領域を上限として前記段階区分を変化させる変化手段と、
前記段階区分の変化を伴う図柄変動ゲーム中に、前記操作手段が操作されることを契機として、実行中の図柄変動ゲームの結果と関連しない特典が付与される可能性を示す特定演出を実行させる演出制御手段と、
図柄変動ゲームの始動条件を付与する始動手段で遊技球の入球が検知された際に、その遊技球を始動保留球として記憶する記憶手段と、を備え、
前記特定演出は、前記始動保留球の中に大当りとなる図柄変動ゲームが存在することを示す演出であり、
前記大当り抽選で大当りに当選した場合よりも大当りに当選していない場合に、最終的に到達させる指標領域として決定され易い特別領域に到達している場合に、前記特定演出を実行可能としたことを特徴とする遊技機。
【請求項２】
前記段階区分を変化させることによって前記到達領域決定手段によって決定された指標領域を超える場合に、前記段階区分の変化を規制する規制手段を備え、
前記演出制御手段は、前記操作手段の操作を有効とする操作有効期間内に前記規制手段によって規制された回数に従って前記特定演出の演出態様を変化させることを特徴とする請求項１に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、初期段階、最終段階、及び初期段階と最終段階の間である中間段階を含む複数の段階区分と、少なくとも１個以上の段階区分を対応付けて構成される指標領域と、を設定し、遊技者が操作可能な操作手段が操作されたことを契機として前記段階区分を変化させた際に、前記指標領域を構成する上限の段階区分から次の段階区分に変化することで前記段階区分が対応付けられている指標領域も変化し得るようになっており、変化後の段階区分が対応付けられている指標領域に定められた内容によって実行中の図柄変動ゲームの演出内容が示される遊技機において、大当りか否かの大当り抽選の抽選結果に従って、図柄変動ゲームの演出内容を定めた演出パターンを選択する演出パターン選択手段と、選択された演出パターンに定められた演出内容に従って最終的に到達させる指標領域を決定する到達領域決定手段と、前記操作手段が操作される度に、前記到達領域決定手段が決定した指標領域を上限として前記段階区分を変化させる変化手段と、前記段階区分の変化を伴う図柄変動ゲーム中に、前記操作手段が操作されることを契機として、実行中の図柄変動ゲームの結果と関連しない特典が付与される可能性を示す特定演出を実行させる演出制御手段と、図柄変動ゲームの始動条件を付与する始動手段で遊技球の入球が検知された際に、その遊技球を始動保留球として記憶する記憶手段と、を備え、前記特定演出は、前記始動保留球の中に大当りとなる図柄変動ゲームが存在することを示す演出であり、前記大当り抽選で大当りに当選した場合よりも大当りに当選していない場合に、最終的に到達させる指標領域として決定され易い特別領域に到達している場合に、前記特定演出を実行可能としたことを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２に記載の発明は、請求項１に記載の遊技機において、前記段階区分を変化させることによって前記到達領域決定手段によって決定された指標領域を超える場合に、前記段階区分の変化を規制する規制手段を備え、前記演出制御手段は、前記操作手段の操作を有効とする操作有効期間内に前記規制手段によって規制された回数に従って前記特定演出の演出態様を変化させることを要旨とする。